(57)【要約】【課題】  現在の設定が録画装置の性能限界を越えているか否かを利用者が判断できるようにする。【解決手段】  単位期間における録画処理の負荷を予測する指標を計算し、収集した負荷指標と録画設定情報から概要情報を生成し、表示装置に所定の方法で表示する。【選択図】  図１
2008182561.tif 000002
【特許請求の範囲】
【請求項１】
複数カメラを対象とする複数の録画スケジュールを設定可能な録画装置において、ある単位期間における録画処理の負荷を予測する指標を計算する録画負荷指標計算手段と、各録画スケジュールの録画設定情報を実際に録画設定する前に一時的に保持する録画スケジュール一時保持手段と、録画設定一時保持手段から取得した各録画スケジュールの録画設定情報と録画負荷指標計算手段を使用して計算した単位期間ごとの録画負荷指標を収集する収集手段と、収集した負荷指標と録画設定情報から概要情報を生成して表示装置に所定の方法で表示するサマリー表示手段を有し、ユーザが指定した録画設定を実際に録画設定する前に上記概要情報を表示し、利用者に承認をもとめることを特徴とする録画装置。
【請求項２】
請求項1において、前記録画負荷指標計算手段は、録画フレームレートを画質で重み付けした値を負荷指標として計算することを特徴とする録画装置。
【請求項３】
請求項１において、前記サマリー表示手段は、負荷指標の値が最も大きくなる単位期間を表示し、さらにその期間における録画設定の内容を表示することを特徴とする録画装置。
【請求項４】
請求項１において、前記サマリー表示手段は、一定期間における負荷指標の値を単位期間ごとに棒グラフとして表示することを特徴とする録画装置。
【請求項５】
請求項１において、前記サマリー表示手段が表示した概要情報に対して利用者が承認を意味する操作を行った場合に、前記録画設定一時保持手段が保持する録画スケジュールを実際に実行することを特徴とする録画装置。
【請求項６】
請求項１において、前記サマリー表示手段が表示した概要情報に対して利用者が拒否を意味する操作を行った場合に、前記録画設定一時保持手段が保持する録画スケジュールの再設定を利用者に要求することを特徴とする録画装置。
【請求項７】
複数カメラを対象とする複数の録画スケジュールを設定可能な録画装置の処理方法において、ある単位期間における録画処理の負荷を予測する指標を計算する録画負荷指標計算ステップと、各録画スケジュールの録画設定情報を実際に録画設定する前に一時的に保持する録画スケジュール一時保持ステップと、録画設定一時保持手段から取得した各録画スケジュールの録画設定情報と録画負荷指標計算手段を使用して計算した単位期間ごとの録画負荷指標を収集する収集ステップと、収集した負荷指標と録画設定情報から概要情報を生成して表示装置に所定の方法で表示するサマリー表示ステップを有し、ユーザが指定した録画設定を実際に録画設定する前に上記概要情報を表示し、利用者に承認をもとめる承認ステップを有することを特徴とする録画装置の処理方式。
【請求項８】
請求項７に記載の録画装置の処理方法を実行するプログラム。
【発明の詳細な説明】
【技術分野】
【０００１】
本発明は、カメラから画像およびその関連情報をスケジュールに従って取得し、録画する録画装置に関するものである。
【背景技術】
【０００２】
従来、遠隔地に設置された複数のカメラの画像をLANなどのネットワークなどを経由して取得し、記憶媒体に蓄積することを目的とする録画装置が存在する。
【０００３】
図２このような録画装置を使用した録画システムの構成図である。カメラ２０１a〜cとこれらのカメラから送信される画像データを記憶する録画装置２０２によって構成される。録画装置２０２は、録画スケジュール表示・設定手段２０３、録画スケジュール実行手段２０４、２次記憶媒体２０５を有する。録画スケジュール実行手段２０４は、カメラ２０１a〜cから送信されてくる画像を録画スケジュール表示・設定手段２０３でユーザが設定した録画スケジュールに基づき、２次記憶媒体２０５に記録する。
【０００４】
録画スケジュール表示・設定手段２０３は、1週間の各曜日、あるいは個々の日付に対して、録画スケジュールを設定するためのユーザインタフェースを利用者に提供する。たとえば、平日は夜間のみ録画を行い、土日は終日録画するといったさまざまな設定が可能である。
(特許文献１参照)
【特許文献１】特開２００６−１９８４５号公報
【発明の開示】
【発明が解決しようとする課題】
【０００５】
複数のカメラに対してさまざまな録画設定が可能な録画装置において、現在の設定が録画装置の性能限界を越えているか否かを判断することが困難である。
【課題を解決するための手段】
【０００６】
複数カメラを対象とする複数の録画スケジュールを設定可能な録画装置において、ある単位期間(日,時間など)における録画処理の負荷を予測する指標を計算する録画負荷指標計算手段と、各録画スケジュールの録画設定情報を実際に録画設定する前に一時的に保持する録画スケジュール一時保持手段と、録画設定一時保持手段から取得した各録画スケジュールの録画設定情報と、録画負荷指標計算手段を使用して計算した単位期間ごとの録画負荷指標を収集する収集手段と、収集した負荷指標と録画設定情報から概要情報を生成して表示装置に所定の方法で表示する「サマリー表示手段」を有し、ユーザが指定した録画設定を実際に録画設定する前に上記概要情報を表示し、利用者に承認をもとめることを特徴とする録画装置を提供する。
【発明の効果】
【０００７】
以上の様にして、複雑な録画設定の負荷を単純化してユーザに提示することにより録画設定の負荷状況を事前に把握し，負荷の高すぎる設定の見直すことを可能にする。
【発明を実施するための最良の形態】
【０００８】
図１は、本実施の形態における録画システムの構成図である。
【０００９】
図１において本実施の形態における録画システムは、カメラ２０１a〜cとこれらのカメラから送信される画像データを記憶する録画装置２０２によって構成される。
【００１０】
録画装置２０２は、従来例と同じく録画スケジュール表示・設定手段２０３、録画スケジュール実行手段２０４、２次記憶媒体２０５を有する。従来例と同じく、録画スケジュール実行手段２０４は、カメラ２０１a〜cから送信されてくる画像を録画スケジュール表示・設定手段２０３でユーザが設定した録画スケジュールに基づき、２次記憶媒体２０５に記録する。
【００１１】
本録画装置２０２は、さらに、録画負荷指標計算手段１０１、録画スケジュール一時保持手段１０２、収集手段１０３、サマリー表示手段１０４を有する。録画負荷指標計算手段１０１は、録画スケジュール設定情報から設定どおりの録画を実行するために録画装置にかかる負荷（これはたとえばＣＰＵ負荷や２次記憶媒体への書き込みの負荷である）を予測するための指標となる数値を計算する手段である。本実施例での指標の具体的な計算方法については後述する。
【００１２】
録画スケジュール一時保持手段１０２は、録画スケジュール表示・設定手段２０３を使用して利用者が設定した録画スケジュールの情報を録画スケジュール実行手段２０４に渡す前に一時的に保持する手段である。
【００１３】
収集手段１０３は録画設定を１日あるいは１時間などの「管理単位期間」に分割し、各管理単位期間で計算された録画負荷指標を収集および集計する手段である。
【００１４】
サマリー表示手段１０４は、収集された結果をディスプレイ等の表示装置上に所定の形式で表示する手段である。
【００１５】
図３は、録画装置２０２のハードウェア構成を示す図である。図１と同じ番号のものは同じ構成であるため説明を省略する。
【００１６】
図３において、ＣＰＵ３０１は録画装置２０２全体を統括制御する制御処理装置である主記憶３０２は、ＣＰＵ３０１が実行するプログラムおよびデータを記憶する。映像受信デバイス３０３はカメラからの映像を受信するためのデバイスである。
【００１７】
映像受信デバイス３０３では２種類の実施形が可能である。カメラがＬＡＮなどのコンピュータネットワーク対応のカメラであれば、映像受信デバイス３０３の実体はネットワークインタフェースデバイスとなる。この場合、カメラから取得できる画像データはＪＰＥＧなどデジタル化および圧縮された画像である。
【００１８】
また、カメラがアナログビデオデバイスである場合は、映像受信デバイス３０３の実体はビデオキャプチャデバイスとなる。
【００１９】
ディスプレイ３０６は主に録画スケジュール表示・設定手段２０３とサマリー表示手段１０４が使用する表示装置である。
【００２０】
以上の構成における本実施例の動作を図４のフローチャートを用いて説明する。
【００２１】
録画スケジュール表示・設定手段２０３でユーザが設定した録画スケジュールのデータは、録画スケジュール実行手段２０４に設定される前に、録画スケジュール一時保持手段１０２によって一時的に保持される（Ｓ４０１）。
【００２２】
録画スケジュール一時保持手段１０２は、録画スケジュールが一時保持されたことを収集手段１０３に通知する（Ｓ４０２）。
【００２３】
収集手段１０３は、録画スケジュール一時保持手段１０２が保持している録画スケジュールのデータを「管理単位期間」に分割する（Ｓ４０３）。ここで、本実施例の管理単位期間は１時間とする。このため、９：００〜１７：００までの録画スケジュールが登録されていると、それは８個の管理単位期間に分割されることになる。また、複数のカメラに対する録画スケジュール設定が存在する場合は、各カメラで同様な処理をおこなう。
【００２４】
本実施例では、複数のカメラが存在する場合、各管理単位期間において、全カメラの負荷指標を合計した値をその管理単位期間の録画負荷指標として使用する。ただし、各カメラの負荷指標を独立に使用する実施形態も可能である。
【００２５】
収集手段１０３は、管理単位期間に分割した録画スケジュールを録画負荷指標計算手段１０１に渡し、各管理単位時間で負荷指標を計算させる（Ｓ４０４）。
【００２６】
計算結果は録画スケジュール情報と共にサマリー表示手段１０４に転送される（Ｓ４０５）。
【００２７】
サマリー表示手段１０４では、収集手段１０３から取得した負荷指標および録画スケジュール情報をディスプレイ等の表示装置に表示し、このスケジュール設定で良いか利用者に確認をとる（Ｓ４０６）。
【００２８】
利用者が問題なしと判断して対応する操作（たとえば、確認ダイアログ上の「ＯＫ」ボタンを押す）を実行すると（Ｓ４０７）、録画スケジュール一時保持手段１０２が一時的に保持していた録画スケジュール設定を録画スケジュール実行手段２０４に転送し、実際の録画処理を開始する（Ｓ４０８）。
【００２９】
利用者が問題ありと判断して対応する操作（たとえば、確認ダイアログ上の「キャンセル」ボタンを押す）と実行すると（Ｓ４０７）、録画スケジュール設定は録画スケジュール実行手段２０４には転送しない。この場合は、そのまま破棄するなり、録画スケジュール表示・設定手段２０３に再度設定内容を表示させて利用者に再設定を促すなどの処理をおこなう。
【００３０】
本実施例で録画負荷指標計算手段１０１が計算する録画負荷指標は、録画フレームレートを画質で重み付けした値を使用する。具体的な処理は図５のフローチャートで示すものとなる。
【００３１】
まず、管理単位期間に分割した録画スケジュールから、録画のフレームレート設定を取得する（Ｓ５０１）。この値としては、１秒あたりに取得できる画像のフレーム数（ｆｐｓ）を使用する。例えば、１０ｆｐｓなら１秒に１０フレームを取得して録画することになる。
【００３２】
次に、画質設定を取得する（Ｓ５０２）。本実施例では１〜３の整数で画質をあらわし、１が最も画質が低く、３が最も画質が高いものとする。
【００３３】
通常、画質が高いほど画像のデータ量も多く、より負荷が高くなるとみなすことができるので、画質の設定値に対応した重み値をフレームレート設定に乗算し（Ｓ５０３）、得られた値を録画負荷指標とする。仮に画質設定と重み値の対応関係が以下のようになっているとすると
画質    --      １      ２      ３
重み値  --      １      ３      ８
１０ｆｐｓ、画質２の録画スケジュールの録画負荷指標の値は１０ｘ２＝２０となる。
【００３４】
最後に、サマリー表示手段１０４によってディスプレイ等の表示装置に表示される画面例を図６および７に示す。
【００３５】
図６は録画負荷指標の値が最も大きくなる管理単位期間と、そのときの録画設定情報を表示するものである。図６において、６０１はディスプレイ３０４上の表示領域となるウィンドウ、６０２は録画負荷指標の値が最も大きくなる録画単位期間の表示である。同じ値の管理単位期間が複数存在する場合は、その録画単位期間を列挙する。６０３は、録画負荷指標の値が最も大きくなる録画単位期間における録画設定の内容を表示している。この実施例ではフレームレートと画質設定のみだが、センサー録画などより複雑な設定が可能な場合は、それらの情報も表示する。６０４は利用者が問題なしと判断した場合に押す「ＯＫ」ボタン、６０５は利用者が問題なしと判断した場合に押す「キャンセル」ボタンである。
【００３６】
図７は１日の中で録画負荷指標の値を棒グラフ表示する表示例である。この表示は録画負荷指標の全体の様子を把握するのに有効である。
【００３７】
図７において、７０１はディスプレイ３０４上の表示領域となるウィンドウ、７０２は０時から２４時までを列挙した時間軸の表示である。（図７では４時〜１３時および１５時〜２３時の表示は省略している。）
別の実施形としては、月曜日〜日曜日のそれぞれの曜日の各時刻における負荷指標を表示したり、個々の日付単位で負荷指標を表示することも可能である。
【００３８】
７０３は、管理単位期間（本実施例では１時間）ごとの負荷指標を棒グラフ表示したものである。図からは１３時〜１４時が最も負荷が高いことを読み取ることができる。７０４は利用者が問題なしと判断した場合に押す「ＯＫ」ボタン、７０５は利用者が問題なしと判断した場合に押す「キャンセル」ボタンである。
【００３９】
なお、本実施例は録画のみをおこなう録画装置に関して説明したが、音声データを含む録画においても、音声データの負荷指標を導入し、画像の負荷指標に加算する（あるいは重み付けしてから加算する）などにより適用することが可能である。
【００４０】
以上説明した様に、本実施形態における録画装置によれば、管理単位期間ごとの負荷指標の計算結果に基づいた録画スケジュール設定の概要を実際の設定前に概要表示することにより、利用者が録画設定の負荷状況を事前に把握し，負荷の高すぎる設定の見直しが可能になる。
【図面の簡単な説明】
【００４１】
【図１】本発明の実施形態における録画システムの構成図。
【図２】従来例の構成図。
【図３】実施形態のハードウェア構成図。
【図４】実施形態における録画装置の動作処理フローチャート。
【図５】実施形態における録画負荷指標の計算処理のフローチャート。
【図６】実施形態におけるサマリー表示例。
【図７】実施形態におけるもう一つのサマリー表示例。
【符号の説明】
【００４２】
１０１  録画設定の内容から録画の負荷を予測ための指標を計算する録画負荷指標計算手段
１０２  各録画スケジュールの録画設定情報を、実際に録画設定する前に一時的に保持する録画スケジュール一時保持手段
１０３  各録画スケジュールの録画設定情報と、録画負荷指標計算手段を使用して計算した単位期間ごとの録画負荷指標を、収集し集計する収集手段
１０４  収集した負荷指標と録画設定情報から概要情報を生成し、表示装置に所定の方法で表示するサマリー表示手段
【図１】
2008182561.tif 000003
【図２】
2008182561.tif 000004
【図３】
2008182561.tif 000005
【図４】
2008182561.tif 000006
【図５】
2008182561.tif 000007
【図６】
2008182561.tif 000008
【図７】
2008182561.tif 000009